(57)【特許請求の範囲】
【請求項１】
遊技盤の遊技領域に、電磁ソレノイドの駆動により開閉作動される羽根形態の電動入賞装置を備えた遊技機において、
前記電動入賞装置は、
前記遊技盤の遊技領域に取着される取付基板と該取付基板の前方に配設される前面板とを有する本体構成部材と、
該本体構成部材の取付基板と前面板の間にあって左右対称状に配置され、個々に独立して内外の開閉方向に傾動可能に軸支されて遊技球用の入賞口を構成する一対の開閉部材と、
前記本体構成部材の裏側に設置され前後方向に進退動可能な作動軸を備えた電磁ソレノイドと、
該電磁ソレノイドの作動軸の前端に縦方向の軸で傾動自在に連結されると共に先端に板状の作動板を設けた作動部材と、
前記電磁ソレノイドの作動軸及び前記作動部材の外周囲に装着され作動部材の前記作動板に当接して前向きに付勢すると共にその付勢力で前記作動部材を前記作動軸に対して傾きのない中立位置に向けて保持し得るようにしたコイル状のばねと、
前記本体構成部材の裏側で左右水平状態に支持された１本の横軸の左端と右端に個々に独立して回動可能に支持され前記作動部材の作動板に対して左右対称位置に連繋された左右一対の連動部材と、を有し、
前記連動部材は、前記横軸に挿通支持されたボス部に対して、上端部に一対の係合部を有する縦向きの第１アーム部と、前端部に押下片と突上片とを二股状に配置した横向きの第２アーム部とがほぼ９０度の向きで形成されて、左右それぞれの前記第１アーム部の係合部が前記電磁ソレノイドの作動部材の作動板の両端に連繋される一方、前記第２アーム部の押下片と突上片が前記各開閉部材に後向きに突設された連動ピンに連繋されており、
前記電磁ソレノイドの励磁により作動軸及び作動部材が前記ばねの付勢力に抗して後方に移動されることに従い、前記左右の連動部材の第２アーム部が上方に変位して前記左右の開閉部材が外方に傾動開放され、前記電磁ソレノイドの消磁により作動軸及び作動部材が前記ばねの付勢力で前方に移動されることに従い、前記左右の連動部材の第２アーム部が下方に変位して前記左右の開閉部材が内方に傾動して起立状態に保持されるように設定される一方、
前記電磁ソレノイドの消磁により前記左右の開閉部材が起立状態に復帰される際、一方の開閉部材が前記入賞口への入賞途中の遊技球の重みを受けて復帰不能状態を生じた場合に、前記電磁ソレノイドの作動軸の作動部材が前記ばねの付勢力に抗して傾動変化して、前記一方の開閉部材が遊技球の重みから解放されるまでの暫時、開放状態に保持されるように設定したことを特徴とする遊技機。
【発明の詳細な説明】
【０００１】
【発明の属する技術分野】
この発明は、例えば、パチンコ機等の弾球遊技機とも呼ばれている遊技機に関する。
【０００２】
【従来の技術】
従来、遊技機（弾球遊技機）においては、その遊技盤の盤面（前面）に、ソレノイド等の電動アクチュエータを駆動源として開閉される一対の開閉部材を備えた電動入賞装置（電動式チュウリップとも呼ばれることがある）が装着されたものが知られている。この種の電動入賞装置においては、図１４〜図１７に示すように、電動アクチュエータとしてのソレノイド３６１が励磁されたり、あるいは非励磁の状態にされることによって、進退部材としての作動軸３７１が軸方向に進退され、その進退力が連動部材３８０に伝達されることによって、一対の開閉部材３５４、３５６が軸３５４ａ、３５６ａを中心としてそれぞれ開閉動作されるようになっているのが一般的である。すなわち、連動部材３８０は、その中間部のボス部３８０ａにおいて横軸３７５の軸線回りに回動可能に設けられている。この連動部材３８０のボス部３８０ａの外周面には、作動軸３７１に一体に形成されたラック３７１ａに噛み合う扇形歯車３７３が形成され、これによって作動軸３７１の進退力が横軸３７５の軸線回りのトルクに変換されて連動部材３８０が回動される。また、連動部材３８０には、そのボス部３８０ａの外周面の左右両端部からアーム部３８５、３９５がそれぞれ前方に向けて一体に延出され、これら両アーム部３８５、３９５の先端部には、一対の開閉部材３５４、３５６の連動ピン３５５、３５７にそれぞれ係合する係合部３８６、３９６が形成されている。そして、連動部材３８０が横軸３７５の軸線回りに回動され、両アーム部３８５、３９５の係合部３８６、３９６を介して、一対の開閉部材３５４、３５６の連動ピン３５５、３５７が上下動されることで、これら一対の開閉部材３５４、３５６が軸３５４ａ、３５６ａを中心としてそれぞれ同時に開閉動作されるようになっている。
【０００３】
【発明が解決しようとする課題】
ところで、前記従来のものにおいて、ソレノイド３６１が励磁され作動軸３７１がばね３７２の弾発力に抗して後退されて、一対の開閉部材３５４、３５６が開かれた状態にあるときに、図１７に示すように、例えば、一方の開閉部材３５４上に複数の球Ｂが相互に噛み合って、その開閉部材３５４が閉じ動作不能にロックされる場合がある。このように一方の開閉部材３５４がロックされると、ソレノイド３６１が非励磁の状態に戻されても、作動軸３７１がばね３７２の弾発力によって前進されることなく、後退位置に拘束される。このため、他方の開閉部材３５６も開き状態に拘束される。この場合、入賞口３５８に多くの球が流入する不具合が発生する。
【０００４】
この発明の目的は、前記問題点に鑑み、一対の開閉部材のうち、一方の開閉部材がロックされても他方の開閉部材を開閉動作させることができる電動入賞装置を備えた遊技機を提供することである。
【０００５】
【課題を解決するための手段】
遊技盤の遊技領域に、電磁ソレノイドの駆動により開閉作動される羽根形態の電動入賞装置を備えた遊技機において、
前記電動入賞装置は、
前記遊技盤の遊技領域に取着される取付基板と該取付基板の前方に配設される前面板とを有する本体構成部材と、
該本体構成部材の取付基板と前面板の間にあって左右対称状に配置され、個々に独立して内外の開閉方向に傾動可能に軸支されて遊技球用の入賞口を構成する一対の開閉部材と、
前記本体構成部材の裏側に設置され前後方向に進退動可能な作動軸を備えた電磁ソレノイドと、
該電磁ソレノイドの作動軸の前端に縦方向の軸で傾動自在に連結されると共に先端に板状の作動板を設けた作動部材と、
前記電磁ソレノイドの作動軸及び前記作動部材の外周囲に装着され作動部材の前記作動板に当接して前向きに付勢すると共にその付勢力で前記作動部材を前記作動軸に対して傾きのない中立位置に向けて保持し得るようにしたコイル状のばねと、
前記本体構成部材の裏側で左右水平状態に支持された１本の横軸の左端と右端に個々に独立して回動可能に支持され前記作動部材の作動板に対して左右対称位置に連繋された左右一対の連動部材と、を有し、
前記連動部材は、前記横軸に挿通支持されたボス部に対して、上端部に一対の係合部を有する縦向きの第１アーム部と、前端部に押下片と突上片とを二股状に配置した横向きの第２アーム部とがほぼ９０度の向きで形成されて、左右それぞれの前記第１アーム部の係合部が前記電磁ソレノイドの作動部材の作動板の両端に連繋される一方、前記第２アーム部の押下片と突上片が前記各開閉部材に後向きに突設された連動ピンに連繋されており、 前記電磁ソレノイドの励磁により作動軸及び作動部材が前記ばねの付勢力に抗して後方に移動されることに従い、前記左右の連動部材の第２アーム部が上方に変位して前記左右の開閉部材が外方に傾動開放され、前記電磁ソレノイドの消磁により作動軸及び作動部材が前記ばねの付勢力で前方に移動されることに従い、前記左右の連動部材の第２アーム部が下方に変位して前記左右の開閉部材が内方に傾動して起立状態に保持されるように設定される一方、
前記電磁ソレノイドの消磁により前記左右の開閉部材が起立状態に復帰される際、一方の開閉部材が前記入賞口への入賞途中の遊技球の重みを受けて復帰不能状態を生じた場合に、前記電磁ソレノイドの作動軸の作動部材が前記ばねの付勢力に抗して傾動変化して、前記一方の開閉部材が遊技球の重みから解放されるまでの暫時、開放状態に保持されるように設定した遊技機を提供する。
【０００６】
前記一対の開閉部材のうち、一方の開閉部材がロックされたときには、前記作動部材が縦方向軸線回りに回動することで、他方の開閉部材が開閉動作される構成にしてある。したがって、一方の開閉部材がロックされた状態において、電動アクチュエータ（電磁ソレノイド）が作動されると、作動軸と作動部材が前後方向に進退され、作動部材が縦方向軸線回りに回動される。この際、一対の連動部材のうち、一方の開閉部材に対応する一方の連動部材は回動が拘束された状態で、他方の開閉部材に対応する他方の連動部材が横軸線回りに回動される。そして、他方の連動部材の横軸線回りの回動によって他方の開閉部材が開閉動作される。
【０００７】
【発明の実施の形態】
（実施の形態１）
この発明の実施の形態１を図１〜図８にしたがって説明する。弾球遊技機とも呼ばれる遊技機（主としてパチンコ機）の遊技盤を正面（前面）から表した図１において、遊技盤１０の前面（盤面ともいう）の周縁部には、外レール１２と内レール１３とを備えた案内レール１１が装着されている。案内レール１１の内側には、遊技領域１５が区画形成されるとともに、外レール１２と内レール１３との間には、図示しない球発射装置から発射された球（パチンコ球）を遊技領域１５の上部に案内する球発射通路１４が形成されている。遊技盤１０の遊技領域１５の略中央部には役物装置３０（センター役物と呼ばれることもある）が装着されている。この役物装置３０は、役物本体３１及び図柄表示装置３３を備えている。
【０００８】
役物装置３０の役物本体３１は、複数又は単数の構成部材によって形成され、遊技盤１０の略中央部に貫設された役物装着孔の前面開口部の周縁を塞ぐようにして枠状に構成され、略中央部には開口窓３２が形成されている。そして、役物本体３１はビス等によって遊技盤１０の前方からその遊技盤１０の前面に取り付けられるようになっている。また、役物本体３１の後側には、その開口窓３２に表示部３４を臨んで図柄表示装置３３が装着されている。この図柄表示装置３３の表示部３４の略全域には、特定図柄が変動表示される特定図柄表示領域が設けられている。また、表示部３４の一部には、普通図柄が変動表示される普通図柄表示部３５が設けられている。
【０００９】
また、役物本体３１には、遊技領域１５を流れる球が流入可能な球通路（ワープ通路と呼ばれることもある）や、その球通路の流出口から流出した球を受ける球受け棚３６が形成されている。この球受け棚３６は、球通路の流出口から流出した球を受ける波形凹凸状をなす高段部３７と、その高段部３７から流下した球を受ける波形凹凸状をなす低段部３８とを備えて上下２段に構成されている。そして、低段部３８の中央部には、球を流下案内する案内凹部３９が形成されている。この案内凹部３９は、後述する電動入賞装置５０の入賞口５８の直上に位置しており、案内凹部３９に案内されて流下した球が入賞口５８に流入する確率が高くなるように構成されている。
【００１０】
また、遊技盤１０の遊技領域１５には、役物装置３０の上下左右側方の計４箇所に風車器１８がそれぞれ配設されるとともに、役物装置３０の片側（図１に向かって左側）に位置して普通図柄始動用ゲート口を有するゲート器２０が設けられている。また、遊技盤１０の遊技領域１５には、その最下端に位置してアウト口４５が形成され、左右両側方に位置して装飾用レンズ２３を有するサイド装飾部材２２が配設されている。これらサイド装飾部材２２の所定位置には一般入賞口２４が設けられている。また、遊技領域１５の略全域にわたって多数の釘が配設されている。
【００１１】
また、遊技盤１０の遊技領域１５には、役物装置３０の下方に位置して、電動入賞装置５０（この実施の形態１では第１種パチンコ機の始動口装置）が配設されるとともに、その電動入賞装置５０の下方に接近してアタッカ装置４０が装着されている。このアタッカ装置４０は、単数又は複数の構成部品によって構成された本体部４１において遊技盤１０の前面にビス等によって装着されている。本体部４１には、大入賞口４３とその大入賞口４３を開閉する開閉扉４２とがそれぞれ設けられている。
【００１２】
図２〜図４に示すように、、電動入賞装置５０は、本体構成部材５１は、単数又は複数の構成部品によって構成されている。この実施の形態１において、本体構成部材５１は、取付基板５２と前面板５３とを主体として構成され、その取付基板５２において遊技盤１０の前面にビス等によって装着されている。取付基板５２と前面板５３との間には、始動口としての入賞口５８を拡開及び縮小する一対の開閉部材５４、５６が軸５４ａ、５６ａを中心としてそれぞれ開閉回動可能に装着されている。これら一対の開閉部材５４、５６は、１つの電動アクチュエータとしてのソレノイド６１を駆動源とし、かつ駆動力伝達機構７０を介して開閉動作されるようになっている。
【００１３】
駆動力伝達機構７０は、ソレノイド６１の作動（励磁・非励磁）によって前後方向に進退される作動軸７１（この発明の進退部材に相当する）と、回動部材７４と、連動部材８０とをそれぞれ備えて構成されている。ソレノイド６１は、取付基板５２の後面から後方に一体に延出された支持部（図示しない）に対し前向きに固定されており、図６に示すように、ソレノイド６１が励磁されたときには、その作動軸７１がばね７２の弾発力に抗して後退、すなわち引き込まれ、図４に示すように、ソレノイド６１が非励磁の状態に戻されることで、作動軸７１がばね７２の弾発力によって前進、すなわち、押し出されるようになっている。そして、作動軸７１の先端部（前端部）には、フランジ状の作動板７３が一体状に設けられている。
【００１４】
取付基板５２の支持部には、ソレノイド６１の作動軸７１の前側に位置して回動部材７４が、そのボス部７４ａにおいて、左右方向の横軸７５の軸線回りに回動可能に装着されている。この回動部材７４には、そのボス部７４ａの外周面から略上向きをなして突出する第１アーム部７６と、前方に突出する第２アーム部７８とが略９０度の角度を隔ててそれぞれ一体に形成されている。図３と図４に示すように、回動部材７４の第１アーム部７６先端部の一側面には、作動軸７１の作動板７３が差し込まれる間隔を隔て断面略円形の一対の係合部７７がそれぞれ突設されている。そして、作動軸７１の作動板７３が一対の係合部７７の間に差し込まれて連結された状態において、作動軸７１の進退力が横軸７５の軸線回りトルクに変換されて回動部材７４に伝達され、これによって、回動部材７４が回動されるようになっている。
【００１５】
図２〜図４に示すように、回動部材７４の第２アーム部７８の先端部（前端部）には、軸状の連結部７９が突設され、その連結部７９には、連動部材８０がその中央部のボス部８０ａにおいて回動可能に嵌装されている。連動部材８０には、そのボス部８０ａの外周から左右方向にアーム部がそれぞれ延出され、これら両アーム部前面の両端部には、一対の開閉部材５４、５６の後面から突出された連動ピン５５、５７にそれぞれ係合する係合部８１、８５が形成されている。これら両係合部８１、８５は、一対の開閉部材５４、５６の連動ピン５５、５７が差し込まれる開口部を有して側面形状で略Ｃ字状をなし、その上側には、連動ピン５５、５７を押し下げて一対の開閉部材５４、５６を閉じる押下片８２、８６が形成され、下側には連動ピン５５、５７を突き上げて一対の開閉部材５４、５６を開く突上片８３、８７が形成されている。
【００１６】
また、連動部材８０は、図示しないばね等の付勢手段によって略水平状をなす中立位置に配置保持されるとともに、所定値以上の荷重が作用したときには連結部７９を中心として正逆方向に回動（傾動）可能に支持されている。そして、一対の開閉部材５４、５６のうち、例えば、一方の開閉部材５４がロックされたときには、連動部材８０が回動部材７４の連結部７９を支点として回動することで、電動アクチュエータとしてのソレノイド６１の駆動力が他方の開閉部材５６に伝達される構成にしてある。
【００１７】
また、この実施の形態１において、図２に示すように、遊技盤１０の前面には、開閉部材５４、５６の上方の中央部及び左右両側部に位置しかつ球Ｂが通過可能な隙間を隔てて釘１９がそれぞれ打ち込まれている。そして中央部の２本の釘１９の間には、開閉部材５４、５６が閉じ、入賞口５８が縮小された状態において、その入賞口５８の直上から球Ｂが流入可能な中央流入領域５が形成されている。また、中央部の２本の釘１９とその両側の釘１９の間には、図５に示すように、開閉部材５４、５６が開き、入賞口５８が拡開された状態において、その直上以外の左右両側方からも球Ｂが流入可能な側部流入領域６、７がそれぞれ形成されている。
【００１８】
また、この実施の形態１において、普通図柄表示部３５に変動表示される普通図柄が当たり図柄となったときに、ソレノイド６１が励磁され、これによって一対の開閉部材５４、５６が所定時間（例えば、１秒間）だけ開かれて入賞口５８が拡開される。また、所定時間経過後、ソレノイド６１が非励磁の状態に戻されることで、一対の開閉部材５４、５６が元の閉じ状態に閉じられ、入賞口５８が縮小されるようになっている。また、一対の開閉部材５４、５６の間に形成された入賞口５８に球Ｂが流入し、その球Ｂが入賞口５８の近傍に設けられた球検出器（図示しない）によって検出されることで、図柄表示装置３３が作動し、図柄表示装置３３の表示部３４には特定図柄が変動表示されるようになっている。
【００１９】
この実施の形態１に係る遊技機としてのパチンコ機は上述したように構成される。したがって、遊技の際、図示しない球発射装置から球発射通路１４に発射された球（パチンコ球）は、遊技領域１５の上部に打ち出され、多数の釘、風車器１８等に案内されながら遊技領域１５の下部に向けて流れる。遊技領域１５に打ち出された球のうち、一部の球はゲート器２０の普通図柄始動用ゲート口を通過したり、あるいは、一般入賞口２４、あるいは電動入賞装置５０の入賞口５８に流入する。また、前記各入賞口に流入しなかった多くの球は遊技領域１５の下部のアウト口４５に流入し、機外に排出される。
【００２０】
球Ｂがゲート器２０の普通図柄始動用ゲート口を通過すると、その球Ｂが球検出器（図示しない）によって検出され、その検出信号が図示はしないがパチンコ機（弾球遊技機）の所定位置に設置された主制御装置（主制御基板とも呼ばれている）に送られる。すると、その信号が図柄表示装置３３に伝達され、その表示部３４の一部に設けられた普通図柄表示部３５の図柄が変動する。そして普通図柄表示部３５には、抽選結果に基づく図柄が表示される。
【００２１】
普通図柄表示部３５の図柄が当たり図柄となって表示されると、これに基づいて主制御装置から伝達される信号によって、電動入賞装置５０のソレノイド６１が所定時間だけ励磁され、その後、非励磁の状態に戻される。ソレノイド６１の励磁によって、進退部材としての作動軸７１がばね７２の弾発力に抗して引き込まれて後退される。すると、作動軸７１の作動板７３に係合部７７において係合している回動部材７４が横軸７５の軸線を中心として図６に向かって時計回り方向に回動される。そして、回動部材７４の連結部７９に嵌装された連動部材８０が回動部材７４と同方向に一体状に回動される。連動部材８０が時計回り方向に回動されることで、図５に示すように、連動部材８０の左右の両係合部８１、８５の突上片８３、８７によって、一対の開閉部材５４、５６の連動ピン５５、５７が突き上げられる。すると、一対の開閉部材５４、５６が軸５４ａ、５６ａを支点として開かれ、入賞口５８が拡開される。このため、入賞口５８に球Ｂが流入し易くなる。すなわち、開閉部材５４、５６が開かれ、入賞口５８が拡開された状態においては、中央流入領域５と、側部流入領域６、７とのいずれにおいても球Ｂが流入可能となる。
【００２２】
ソレノイド６１の励磁開始から所定時間（例えば、１秒）経過後、ソレノイド６１が非励磁の状態に戻されると、図４に示すように、作動軸７１がばね７２の弾発力によって押し出されて前進される。すると、回動部材７４が横軸７５の軸線を中心として図４に向かって反時計回り方向に回動され、これにともなって連動部材８０も同方向に回動される。これによって、図３に示すように、連動部材８０の左右の両係合部８１、８５の押下片８２、８６によって一対の開閉部材５４、５６の連動ピン５５、５７が押しされげられ、一対の開閉部材５４、５６が閉じられる。これよって入賞口５８が元の状態に縮小される。
【００２３】
電動入賞装置５０の入賞口５８に球Ｂが流入すると、その球Ｂが入賞口５８の下方に配設された球検出器（図示しない）によって検出され、その検出信号が主制御装置に送られる。すると、その信号が図柄表示装置３３に伝達され、これによって表示部３４に表示された図柄が変動し、設定時間後停止する。そして、表示部３４には抽選結果に基づく図柄が表示される。表示部３４に表示された特定図柄が「大当たり図柄」、例えば「７・７・７」となって停止した場合、大当たりとなる。この際、主制御装置からの信号によって、扉用ソレノイド（図示しない）が励磁され、アタッカ装置４０の開閉扉４３が大入賞口４２の下部前方に上向き傾斜状をなして倒される開き位置に配置切換される。
【００２４】
開閉扉４３が開かれ大入賞口４２が開放されると、遊技盤１０上を流下する多くの球Ｂが短時間の間に大入賞口４２に入り易い状態となる。大入賞口４２に流入した球Ｂは、同大入賞口４２の近傍に配設された球検出器（図示しない）によって検出される。そして、球Ｂが所定数（例えば、１０個）検出されてカウントされるか、あるいは、所定時間（例えば３０秒）経過すると、扉用ソレノイドが非励磁の状態にされる。すると、開閉扉４３が閉じられ、大当たり遊技の１ラウンドが終了する。１ラウンドの大当たり遊技が終了後、所定時間（例えば２秒）経過すると、開閉扉４３が再び開かれ、大当たり遊技の２ラウンドが行われる。このように開閉扉４３が所定のラウンド回数（例えば、最大１６回）だけ開閉を繰り返すことで、大当たり遊技が終了する。
【００２５】
さて、図５に示すように、電動入賞装置５０の一対の開閉部材５４、５６が開かれ入賞口５８が拡開された状態において、例えば、一方の開閉部材５４上に複数の球Ｂが相互に噛み合ってその開閉部材５４が閉じ動作不能にロックされる場合がある（図７参照）。一方の開閉部材５４がロックされた状態において、ソレノイド６１が非励磁の状態に戻されると、作動軸７１がばね７２の弾発力によって押し出されて前進される。すると、回動部材７４が横軸７５の軸線を中心として図４に向かって反時計回り方向に回動される。これにともなって連動部材８０も同方向に回動される。この際、図７に示すように、連動部材８０の一方の係合部８１の押下片８２がロック状態にある一方の開閉部材５４の連動ピン５５に係合して押し下げ不能となる。このため、連動部材８０は、回動部材７４の連結部７９を支点として図７に向かって時計回り方向に回動される。そして、連動部材８０の他方の係合部８５の押下片８６によって他方の開閉部材５６の連動ピン５７が押し下げられる。これによって、一方の開閉部材５４がロックされた状態であっても、他方の開閉部材５６が軸５６ａを中心として回動し閉じられる。このため、他方の開閉部材５６が開き状態に拘束されて、入賞口５８に多くの球Ｂが流入する不具合を軽減することができる。
【００２６】
また、図７に示すように、一方の開閉部材５４をロックしている複数の球Ｂの球噛みが外され、一方の開閉部材５４のロック状態が解消されると、連動部材８０は、図示しないばね等の付勢手段によって略水平状をなす中立位置に戻されるため、一方の開閉部材５４が閉じられる。
【００２７】
（実施の形態２）
次に、この発明の実施の形態２を図８〜図１３にしたがって説明する。この実施の形態２においては、一対の開閉部材５４、５６のうち、一方の開閉部材５４がロックされた状態であっても、電動アクチュエータとしてのソレノイド６１の駆動力を他方の開閉部材５６に伝達可能な駆動力伝達機構の構造を変更したものである。すなわち、この実施の形態２において、図８〜図１０に示すように、駆動力伝達機構１７０は、ソレノイド６１の作動（励磁・非励磁）によって前後方向に進退される作動軸１７１（この発明の進退部材に相当する）と、その作動軸１７１の先端部（前端部）に縦方向（上下方向）の軸１７３を中心として回動可能に装着された作動部材１７４と、左右方向の横軸１７５の軸線回りにそれぞれ独立して回動可能に装着された左右一対の連動部材１８０、１９０と、を備えて構成されている。
【００２８】
図９と図１０に示すように、左右一対の連動部材１８０、１９０には、その各ボス部１８０ａ、１９０ａの外周から略上向きをなして突出する第１アーム部１８２、１９２と、前方に突出する第２アーム部１８５、１９５とが略９０度の角度を隔ててそれぞれ一体に形成されている。また、左右一対の連動部材１８０、１９０の各第１アーム部１８２、１９２先端部の一側面には、作動部材１７４の作動板１７４ａが差し込まれる間隔を隔て断面略円形の各一対の係合部１８４、１９４がそれぞれ突設されている。そして、作動部材１７４の作動板１７４ａが各一対の係合部１８４、１９４の間にそれぞれ差し込まれて連結されることによって、作動軸１７１の進退力が作動部材１７４を介して横軸１７５の軸線回りトルクに変換されて一対の連動部材１８０、１９０が回動されるようになっている。
【００２９】
一対の連動部材１８０、１９０の第２アーム部１８５、１９５の先端部（前端部）には、一対の開閉部材５４、５６の後面から突出された連動ピン５５、５７にそれぞれ係合する係合部１８６、１９６が形成されている。これら両係合部１８６、１９６は、一対の開閉部材５４、５６の連動ピン５５、５７が差し込まれる開口部を有して側面形状で略Ｃ字状をなし、その上側には、連動ピン５５、５７を押し下げて一対の開閉部材５４、５６を閉じる押下片１８７、１９７が形成され、下側には連動ピン５５、５７を突き上げて一対の開閉部材５４、５６を開く突上片１８８、１９８がそれぞれ形成されている。
【００３０】
また、作動部材１７４の作動板１７４ａは、ばね等の付勢手段、この実施の形態２では作動軸１７１のばね１７２の弾発力によって遊技盤１０の前面と略平行状をなす中立位置に配置保持されるとともに、所定値以上の荷重が作用したときには、縦方向の軸１７３の軸線回りに回動可能に支持されている。そして、一対の開閉部材５４、５６のうち、例えば、一方の開閉部材５４がロックされたときには、作動部材１７４が縦方向の軸１７３の軸線回りに回動することで、電動アクチュエータとしてのソレノイド６１の駆動力が他方の開閉部材５６に伝達される構成にしてある。この実施の形態２のその他の構成は、前記実施の形態１と同様にして構成されるため、その説明は省略する。
【００３１】
したがって、この実施の形態２においては、一対の開閉部材５４、５６が、軸５４ａ、５６ａを中心として回動されて開かれ、入賞口５８が拡開された状態において、球噛み等によって一方の開閉部材５４が閉じ動作不能にロックされた状態において、ソレノイド６１が非励磁の状態に戻されると、図１０に示すように、作動軸１７１がばね１７２の弾発力によって押し出されて前進される。すると、作動部材１７４は、縦方向の軸１７３の軸線を中心として図１０に向かって反時計回り方向に回動される。これによって、図１２と図１３に示すように、他方の開閉部材５６に対応する連動部材１９０が横軸１７５を中心として回動され、その連動部材１９０の係合部１９４の押下片１９７によって他方の開閉部材５６の連動ピン５７が押し下げられる。
【００３２】
この結果、一方の開閉部材５４がロックされた状態であっても、他方の開閉部材５６が軸５６ａを中心として回動し閉じられる。このため、他方の開閉部材５６が開き状態に拘束されて、入賞口５８に多くの球Ｂが流入する不具合を軽減することができる。また、一方の開閉部材５４をロックしている複数の球Ｂの球噛みが外され、一方の開閉部材５４のロック状態が解消されると、作動部材１７４は、ばね１７２の弾発力によって元の中立位置に戻されるため、一方の開閉部材５４が閉じられる。
【００３３】
なお、この発明は前記実施の形態１及び２に限定するものではない。例えば、前記実施の形態１及び２においては、電動入賞装置５０の一対の開閉部材５４、５６によって拡開・縮小可能に構成される入賞口５８が第１種パチンコ機の始動口を構成する場合を例示したが、これに限定するものではなく、第２種、第３種等のパチンコ機における電動入賞装置としても使用することができる。
【００３４】
【発明の効果】
以上述べたように、この発明によれば、１つの電動アクチュエータを駆動源として開閉動作される一対の開閉部材のうち、一方の開閉部材がロックされても、駆動力伝達機構を介して他方の開閉部材を開閉動作させることができる。このため、例えば、開かれた状態にある一対の開閉部材のうち、一方の開閉部材が球噛みによってロックされた状態においても、他方の開閉部材を閉じることができ、入賞口に多くの球が流入する不具合を防止することができる。
【図面の簡単な説明】
【図１】この発明の実施の形態１に係る遊技機としてのパチンコ機の遊技盤を示す正面図である。
【図２】同じく電動入賞装置の一対の開閉部材が閉じた状態を示す正面図である。
【図３】同じく電動入賞装置の一対の開閉部材が閉じた状態を示す平面図である。
【図４】同じく電動入賞装置の一対の開閉部材が閉じた状態を示す側面図である。
【図５】同じく電動入賞装置の一対の開閉部材が開いた状態を示す正面図である。
【図６】同じく電動入賞装置の一対の開閉部材が開いた状態を示す側面図である。
【図７】同じく開かれた状態にある一対の開閉部材のうち、一方の開閉部材が球噛みによってロックされ、他方の開閉部材が閉じられた状態を示す正面図である。
【図８】この発明の実施の形態２に係る電動入賞装置の一対の開閉部材が閉じた状態を示す正面図である。
【図９】同じく電動入賞装置の一対の開閉部材が閉じた状態を示す平面図である。
【図１０】同じく電動入賞装置の一対の開閉部材が閉じた状態を示す側面図である。
【図１１】同じく電動入賞装置の一対の開閉部材が開いた状態を示す側面図である。
【図１２】同じく開かれた状態にある一対の開閉部材のうち、一方の開閉部材が球噛みによってロックされ、他方の開閉部材が閉じられた状態を示す正面図である。
【図１３】同じく一方の開閉部材が球噛みによってロックされ、他方の開閉部材が閉じられた状態を示す平面図である。
【図１４】従来の電動入賞装置の一対の開閉部材が閉じた状態を示す正面図である。
【図１５】同じく電動入賞装置の一対の開閉部材が閉じた状態を示す側面図である。
【図１６】同じく電動入賞装置の一対の開閉部材が閉じた状態を示す平面図である。
【図１７】同じく開かれた状態にある一対の開閉部材のうち、一方の開閉部材が球噛みによってロックされた状態を示す正面図である。
【符号の説明】
１０ 遊技盤
１５ 遊技領域
５０ 電動入賞装置
５１ 本体構成部材
５２ 取付基板
５３ 前面板
５４，５６ 一対の開閉部材
５５，５７ 連動ピン
５８ 入賞口
６１ ソレノイド（電磁ソレノイド）
１７１ 作動軸
１７２ コイル状のばね
１７３ 軸
１７４ 作動部材
１７４ａ 作動板
１７５ 横軸
１８０，１９０ 連動部材
１８０ａ，１９０ａ ボス部
１８２，１９２ 第１アーム部
１８５，１９５ 第２アーム部
１８４，１９４ 係合部
１８７，１９７ 押下片
１８８，１９８ 突上片
【図１】
0004314775.tif 000002
【図２】
0004314775.tif 000003
【図３】
0004314775.tif 000004
【図４】
0004314775.tif 000005
【図５】
0004314775.tif 000006
【図６】
0004314775.tif 000007
【図７】
0004314775.tif 000008
【図８】
0004314775.tif 000009
【図９】
0004314775.tif 000010
【図１０】
0004314775.tif 000011
【図１１】
0004314775.tif 000012
【図１２】
0004314775.tif 000013
【図１３】
0004314775.tif 000014
【図１４】
0004314775.tif 000015
【図１５】
0004314775.tif 000016
【図１６】
0004314775.tif 000017
【図１７】
0004314775.tif 000018